(57)【要約】【課題】各機器自身の機能を発揮するための処理を行うための処理容量の大きなハードウェアを有しなくてもよい動画像配信システムを提供する。【解決手段】動画像を表す表示用信号であって、情報圧縮されていない表示用信号を送信する送信装置と、表示用信号を、移動体通信網を介して受信する端末装置と、端末装置と接続され、端末装置が受信した表示用信号に基づき動画像を表示する表示装置とを備える動画像配信システム。【選択図】図１
2016192681.tif 000002
【特許請求の範囲】
【請求項１】
動画像を表す表示用信号であって、情報圧縮されていない表示用信号を送信する送信装置と、
前記表示用信号を、移動体通信網を介して受信する端末装置と、
前記端末装置と接続され、前記端末装置が受信した前記表示用信号に基づき前記動画像を表示する表示装置と
を備える動画像配信システム。
【請求項２】
前記送信装置は、テレビジョン放送の信号を受信し、受信した信号を復号して前記表示用信号を生成することを特徴とする請求項１に記載の動画像配信システム。
【請求項３】
前記表示装置は、前記端末装置に対して、電力を供給する、請求項１に記載の動画像配信システム。
【請求項４】
送信装置と、移動体通信網を介して通信する端末装置であって、
動画像を表す表示用信号であって、情報圧縮されていない表示用信号を、移動体通信網を介して前記送信装置から受信する移動体網通信部と、
接続されている表示装置に、前記表示用信号を入力する接続部と
を備える端末装置。
【請求項５】
動画像を表す表示用信号であって、情報圧縮されていない表示用信号を、移動体通信網を介して受信する端末装置と接続される接続部と、
前記端末装置が受信した前記表示用信号に基づき前記動画像を表示する表示部と
を備える表示装置。
【請求項６】
送信装置と、端末装置と、表示装置とを備える動画像配信システムにおける動画像配信方法であって
前記送信装置が、動画像を表す表示用信号であって、情報圧縮されていない表示用信号を送信する第１の過程と、
前記端末装置が、前記表示用信号を、移動体通信網を介して受信する第２の過程と、
前記表示装置が、前記第２の過程にて受信した前記表示用信号に基づき前記動画像を表示する第３の過程と
を有する動画像配信方法。
【発明の詳細な説明】
【技術分野】
【０００１】
本発明は、動画像配信システム、端末装置、表示装置、および動画像配信方法に関する。
【背景技術】
【０００２】
地上デジタル放送、衛星デジタル放送などのデジタル放送に加え、インターネットの高速通信の普及に伴いビデオオンデマンド（ＶＯＤともいう）などの映像コンテンツ提供サービスが普及している。
また、スマートフォン、タブレット端末などの端末装置と、テレビジョン受像機などのネットワーク接続機能を有した家電製品とが、ネットワークを介して、クラウドサーバと通信して、家電製品を動作させる技術がある（例えば、特許文献１参照）。
【先行技術文献】
【特許文献】
【０００３】
【特許文献１】特開２０１３−２２９６６８号公報
【発明の概要】
【発明が解決しようとする課題】
【０００４】
しかしながら、上述の技術においては、端末装置、家電製品などネットワークを介してサーバに接続された機器各々が、その機能を発揮するための処理を行うために、ＣＰＵなどの処理容量の大きなハードウェアを備えなければならないという問題がある。
【０００５】
本発明は、このような事情に鑑みてなされたもので、各機器自身の機能を発揮するための処理を行うための処理容量の大きなハードウェアを有しなくてもよい動画像配信システム、端末装置、表示装置、および動画像配信方法を提供する。
【課題を解決するための手段】
【０００６】
（１）この発明は上述した課題を解決するためになされたもので、本発明の一態様は、動画像を表す表示用信号であって、情報圧縮されていない表示用信号を送信する送信装置と、前記表示用信号を、移動体通信網を介して受信する端末装置と、前記端末装置と接続され、前記端末装置が受信した前記表示用信号に基づき前記動画像を表示する表示装置とを備える動画像配信システムである。
【０００７】
（２）また、本発明の他の態様は、（１）に記載の動画像配信システムであって、前記送信装置は、テレビジョン放送の信号を受信し、受信した信号を復号して前記表示用信号を生成することを特徴とする。
【０００８】
（３）また、本発明の他の態様は、（１）に記載の動画像配信システムであって、前記表示装置は、前記端末装置に対して、電力を供給する。
【０００９】
（４）また、本発明の他の態様は、送信装置と、移動体通信網を介して通信する端末装置であって、動画像を表す表示用信号であって、情報圧縮されていない表示用信号を、移動体通信網を介して前記送信装置から受信する移動体網通信部と、接続されている表示装置に、前記表示用信号を入力する接続部とを備える。
【００１０】
（５）また、本発明の他の態様は、動画像を表す表示用信号であって、情報圧縮されていない表示用信号を、移動体通信網を介して受信する端末装置と接続される接続部と、前記端末装置が受信した前記表示用信号に基づき前記動画像を表示する表示部とを備える表示装置である。
【００１１】
（６）また、本発明の他の態様は、送信装置と、端末装置と、表示装置とを備える動画像配信システムにおける動画像配信方法であって、前記送信装置が、動画像を表す表示用信号であって、情報圧縮されていない表示用信号を送信する第１の過程と、前記端末装置が、前記表示用信号を、移動体通信網を介して受信する第２の過程と、前記表示装置が、前記第２の過程にて受信した前記表示用信号に基づき前記動画像を表示する第３の過程とを有する動画像配信方法である。
【発明の効果】
【００１２】
この発明によれば、処理容量の大きいハードウェアを有していなくても、動画像の表示を行うことができる。
【図面の簡単な説明】
【００１３】
【図１】この発明の実施形態による動画像配信システム１００の構成を示す概略ブロック図である。
【図２】同実施形態における表示用信号送信装置１０の概略構成を示すブロック図である。
【図３】同実施形態における端末装置４０の概略構成を示すブロック図である。
【図４】同実施形態における表示装置５０の概略構成を示すブロック図である。
【図５】同実施形態における端末装置４０と表示装置５０との接続方法の第１の例を説明する模式図である。
【図６】同実施形態における端末装置４０と表示装置５０との接続方法の第２の例を説明する模式図である。
【図７】同実施形態における端末装置４０と表示装置５０との接続方法の第３の例を説明する模式図である。
【発明を実施するための形態】
【００１４】
以下、図面を参照して、本発明の実施の形態について説明する。図１は、本実施形態による動画像配信システム１００の構成を示す概略ブロック図である。動画像配信システム１００は、表示用信号送信装置１０、ネットワーク２０、基地局装置３０、端末装置４０、表示装置５０を含む。表示用信号送信装置１０は、動画像を表す表示用信号であって、情報圧縮されていない表示用信号を送信する。表示用信号は、そのまま表示デバイスへ入力可能な信号であって、例えば、信号値各々が、例えば液晶ディスプレイにおける各画素の赤、緑、青の画素値を表す信号と、垂直同期信号、水平同期信号などの同期信号とを含む信号である。あるいは、表示用信号は、信号値各々が、例えば液晶ディスプレイにおける各セルへの入力値を表す信号と、バックライトへの入力値を表す信号と、同期信号とを含む信号である。
【００１５】
ネットワーク２０は、移動体通信網を構成するネットワークであり、表示用信号送信装置１０と基地局装置３０とを接続する。なお、表示用信号送信装置１０が、移動体通信網を構成するネットワークに直接接続されていないときは、表示用信号送信装置１０と、移動体通信網を構成するネットワークとを接続するネットワーク（例えば、インターネット）を含む。なお、移動体通信網は、Ｗ−ＣＤＭＡ（Wideband Code Division Multiple Access）、ＣＤＭＡ２０００  １ｘなどの第３世代の移動体通信網であってもよいし、ＬＴＥ（Long Term Evolution）、ＬＴＥ−Ａ（LTE-Advanced）などの第４世代の移動体通信網であってもよいし、これら以外の移動体通信網であってもよい。
【００１６】
基地局装置３０は、上述の移動体通信網における基地局である。基地局装置３０は、表示用信号送信装置１０が送信した表示用信号を、ネットワーク２０を介して受信し、端末装置４０に送信する。端末装置４０は、上述の移動体通信網における移動局である。端末装置４０は、表示用信号送信装置１０が送信した表示用信号を、移動体通信網（基地局装置３０）を介して受信する。
【００１７】
端末装置４０は、表示装置５０と接続されているときは、受信した表示用信号を、表示装置５０に入力する。端末装置４０は、例えば、表示装置５０が備えるソケットに挿入されることで、表示装置５０と接続されてもよいし、表示装置５０と接続ケーブルに接続されてもよいし、あるいは、表示装置５０と接続ケーブルにより接続されたクレードルに挿入されることで、表示装置５０と接続されてもよい。表示装置５０は、例えば、テレビジョン受像機であり、液晶ディスプレイ、有機ＥＬなどの表示デバイスを有し、受信した表示用信号に基づき、表示用信号が表す動画像を表示する。また、表示装置５０は、接続されている端末装置４０に対して、電力を供給する。
【００１８】
図２は、表示用信号送信装置１０の概略構成を示すブロック図である。表示用信号送信装置１０は、チューナー部１１、信号処理部１２、通信部１３を含む。チューナー部１１は、地上波デジタル放送、衛星デジタル放送などのテレビジョン放送を受信し、動画像を表すデータとして、受信したテレビジョン放送の番組のストリームを抽出する。なお、チューナー部１１が受信するテレビジョン放送は、いわゆるケーブルテレビや、インターネットテレビなどであってもよい。このデータは、例えば、Ｈ．２６４／ＭＰＥＧ−４  ＡＶＣ（Advanced Video Coding）、Ｈ．２６５／ＨＥＶＣ（High Efficiency Video Coding）などの方式により動画像が圧縮符号化されたデータである。
【００１９】
信号処理部１２は、チューナー部１１が抽出したストリームの動画像を表す表示用信号を生成する。例えば、動画像を表すデータが、動画像が圧縮符号化されたデータであるときは、信号処理部１２は、このストリームを復号して、表示用信号を生成する。通信部１３は、表示用信号を、ネットワーク２０および基地局装置３０を介して、端末装置４０に送信する。
【００２０】
図３は、端末装置４０の概略構成を示すブロック図である。端末装置４０は、移動体網通信部４１、接続部４２を含む。移動体網通信部４１は、基地局装置３０と同期して無線通信するための発振回路を備え、基地局装置３０と無線通信する。移動体網通信部４１は、基地局装置３０との無線通信により、表示用信号送信装置１０が送信した表示用信号を受信する。接続部４２は、表示装置５０と接続するための接続端子を備え、表示装置５０と接続されると、移動体網通信部４１が受信した表示用信号を表示装置５０に入力する。また、接続部４２は、表示装置５０から供給される電力を端末装置４０の各部に供給する。
【００２１】
図４は、表示装置５０の概略構成を示すブロック図である。表示装置５０は、接続部５１、表示部５２、給電部５３を含む。接続部５１は、端末装置４０を接続するための接続端子を備え、端末装置４０と接続されると、表示用信号の入力を受け付ける。表示部５２は、液晶ディスプレイ、有機ＥＬディスプレイなどの表示デバイスを備える。表示部５２は、接続部５１に入力された表示用信号に従い、表示デバイスに動画像を表示する。給電部５３は、接続部５１に端末装置４０が接続されると、接続部５１を介して端末装置４０に電力を供給する。
【００２２】
なお、接続部５１は、表示部５２の特性（画素数、フレームレート、輝度特性など）を示す情報を、端末装置４０、基地局装置３０、ネットワークを介して表示用信号送信装置１０に送信し、表示用信号送信装置１０の信号処理部１２は、その情報を用いて、表示部５２の特性に応じた表示用信号を生成するようにしてもよい。ここで、輝度特性とは、表示デバイスへの入力値（電圧、電流、時間など）と輝度値との関係を示す特性である。
また、接続部５１は、端末装置４０が接続されたことを検出すると、表示部５２を動作させるようにしてもよい。
また、端末装置４０が、表示デバイスを有している場合、端末装置４０の接続部４２は、端末装置４０が表示装置５０に接続されたことを検出すると、端末装置４０の表示デバイスの動作を停止させるようにしてもよい。
【００２３】
図５は、端末装置４０と表示装置５０との接続方法の第１の例を説明する模式図である。接続方法の第１の例では、接続部５１は、表示装置５０の筐体表面に、端末装置４０を挿入可能なソケット５４を有している。端末装置４０をソケット５４に挿入すると、接続部４２の接続端子と接続部５１の接続端子とが接触する。これにより、端末装置４０と、表示装置５０とが接続される。
【００２４】
図６は、端末装置４０と表示装置５０との接続方法の第２の例を説明する模式図である。接続方法の第２の例では、接続部５１は、端末装置４０を挿入可能なクレードル６０と接続する接続ケーブル用の接続端子を備える。端末装置４０をクレードル６０に挿入すると、接続部４２の接続端子と接続部５１の接続端子とは、クレードル６０と接続ケーブルを介して接触する。これにより、端末装置４０と、表示装置５０とが接続される。
【００２５】
図７は、端末装置４０と表示装置５０との接続方法の第３の例を説明する模式図である。接続方法の第３の例では、接続部５１は、端末装置４０と接続する接続ケーブル用の接続端子を備える。端末装置４０をクレードル６０に挿入すると、接続部４２の接続端子と接続部５１の接続端子とクレードル６０と接続ケーブルを介して接触する。これにより、端末装置４０と、表示装置５０とが接続される。
【００２６】
なお、端末装置４０の移動体網通信部４１は、表示装置５０の表示部５２の特性（画素数、フレームレート、輝度特性など）を示す情報を表示用信号送信装置１０に送信し、表示用信号送信装置１０の信号処理部１２は、その情報を用いて、表示部５２の特性に応じた表示用信号を生成するようにしてもよい。ここで、輝度特性とは、表示デバイスへの入力値（電圧、電流、時間など）と輝度値との関係を示す特性である。
また、図１において、端末装置４０と表示装置５０との組み合わせは一つのみであるが、動画像配信システム１００は、複数の端末装置４０表示装置５０との組み合わせを含んでいてもよい。
また、端末装置４０は、フィーチャーフォン、スマートフォン、タブレットなどの携帯電話端末、携帯型のデータ通信端末であってもよい。
【００２７】
このように、表示用信号送信装置１０は、情報圧縮されていない表示用信号を送信し、端末装置４０は、その表示用信号を受信して、表示装置５０に入力する。
これにより、端末装置４０および表示装置５０は、処理容量の大きい動画像復号用のハードウェア（専用ハードウェアあるいはＣＰＵ）を有していなくても、動画像の表示を行うことができる。
また、端末装置４０は、演算量の多い動画像復号処理を行う必要がないので、動画像復号処理を行う場合に比べて消費電力を抑えることができる。その結果、端末装置４０をバッテリーにて稼働できる時間が長くなり、端末装置４０の可用性が高まる。
また、表示用信号の生成は、表示用信号送信装置１０が行うので、テレビジョン放送のフォーマット変更などの機能変更や機能追加を、表示用信号送信装置１０に対する変更のみで行うことが行うことができ、地理的に散らばって配置されている各端末装置４０および各表示装置５０を変更しなくてよい。
【００２８】
また、図１における表示用信号送信装置１０、端末装置４０、表示装置５０の機能を実現するためのプログラムをコンピュータ読み取り可能な記録媒体に記録して、この記録媒体に記録されたプログラムをコンピュータシステムに読み込ませ、実行することにより各装置を実現してもよい。なお、ここでいう「コンピュータシステム」とは、ＯＳや周辺機器等のハードウェアを含むものとする。
【００２９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３０】
また、上述した図１における表示用信号送信装置１０、端末装置４０、表示装置５０の各機能ブロックは個別にチップ化してもよいし、一部、または全部を集積してチップ化してもよい。また、集積回路化の手法はＬＳＩに限らず、専用回路、または汎用プロセッサで実現しても良い。ハイブリッド、モノリシックのいずれでも良い。一部は、ハードウェアにより、一部はソフトウェアにより機能を実現させても良い。
また、半導体技術の進歩により、ＬＳＩに代替する集積回路化等の技術が出現した場合、当該技術による集積回路を用いることも可能である。
【００３１】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００３２】
１０…表示用信号送信装置
１１…チューナー部
１２…信号処理部
１３…通信部
２０…ネットワーク
３０…基地局装置
４０…端末装置
４１…移動体網通信部
４２…接続部
５０…表示装置
５１…接続部
５２…表示部
５３…給電部
【図１】
2016192681.tif 000003
【図２】
2016192681.tif 000004
【図３】
2016192681.tif 000005
【図４】
2016192681.tif 000006
【図５】
2016192681.tif 000007
【図６】
2016192681.tif 000008
【図７】
2016192681.tif 000009